Podtech/llm-jp-corpus-v4-ja_patent huggingface dataset:
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
計算環境において、ソース・サービスとターゲット・サービスとの間で１組のパスワード資格証明を同期させる方法であって、前記１組のパスワード資格証明が、前記ソース・デバイスおよび前記ターゲット・サービスの各々へのアクセスを可能にし、前記方法が、
プロセッサーにより、同期タイムスタンプを提供するステップであって、前記同期タイムスタンプが、前記ソース・デバイスおよび前記ターゲット・サービス間の最後のパスワード資格証明同期に対応する、ステップと、
ハッシュされた１組の変更されたパスワード資格証明を受けるステップであって、前記ハッシュされた１組の変更されたパスワード資格証明が、前記最後のパスワード資格証明同期から前記１組のパスワード資格証明に対し行われた変更のみを含む、ステップと、
前記ハッシュされた１組の変更されたパスワード資格証明を、アイデンティティ認証における使用のために、前記ターゲット・サービスにエクスポートするステップと、
を含む、方法。
【請求項２】
請求項１記載の方法において、前記ハッシュされた１組の変更されたパスワード資格証明が、一次ハッシング・アルゴリズムによって計算され、前記方法が更に、前記ターゲット・サービスにエクスポートするために、前記ハッシュされた１組の変更されたパスワード資格証明に対応する二次ハッシュ・アルゴリズムを使用して、前記ハッシュされた１組の変更されたパスワード資格証明を秘密保護データーに二次的にハッシングするステップを含む、方法。
【請求項３】
請求項２記載の方法において、前記ハッシュされた１組の変更されたパスワード資格証明を前記秘密保護データーに二次的にハッシュするステップが、ランダム・ソルトおよび複数の繰り返しを使用するステップを含む、方法。
【請求項４】
システムであって、
ターゲット・ディレクトリー・サービスと、
複数のドメインを含むドメイン・メッシュと、
前記ドメイン・メッシュに結合された同期ホストと、
を含み、
前記同期ホストが、前記ドメイン・メッシュにおいて受けたパスワード変更を、前記メッシュの外部にある前記ターゲット・ディレクトリー・サービスと同期させるように構成され、前記パスワード変更を同期させることが、
前記ドメイン・メッシュからの平文パスワードを表すハッシュ値を受け、
二次ハッシュ・アルゴリズムを使用して前記ハッシュ値に対し追加のハッシュを実行して保護パスワード・データーを生成し、
前記保護パスワード・データーを前記ターゲット・ディレクトリー・サービスにエクスポートする、
ことを含む、システム。
【請求項５】
請求項４記載のシステムにおいて、前記同期ホストが、前記二次ハッシュ・アルゴリズムおよびランダム・ソルトを使用して、前記ハッシュ値を処理して前記保護パスワード・データーにする、システム。
【請求項６】
請求項４記載のシステムにおいて、更に、パスワード変更データーのために、前記複数のドメインのうちの１つにおけるどのドメイン・コントローラーに連絡するか決定するために構成されたメッシュ・サービスを含む、システム。
【請求項７】
請求項４記載のシステムにおいて、
前記複数のドメインに対する各ドメイン・コントローラー、
オンプレミス・サーバー・ドメイン・メッシュに結合された別のマシン、あるいは
前記ドメイン・メッシュから地理的に離れたクラウド・マシンまたは他のマシン、
の内の１つにおいて実行する前記同期ホストの少なくとも一部によって、前記二次ハッシュ・アルゴリズムを使用して前記ハッシュ値を処理して前記保護パスワード・データーにする、システム。
【請求項８】
請求項４記載のシステムにおいて、前記ターゲット・ディレクトリー・サービスには、複数のハッシング・アルゴリズムまたはアイデンティティに関連するハッシング・アルゴリズムの組み合わせの内任意のものを前記アイデンティティの認証の間に使用するために、暗号化方式の指定が構成される、システム。
【請求項９】
コンピューター実行可能命令を有する１つ以上のコンピューター読み取り可能記憶媒体であって、前記コンピューター実行可能命令が１つ以上のプロセッサーによって実行されると、前記１つ以上のプロセッサーに動作を実行させ、前記動作が、
ターゲット・サービスにおいて、平文パスワードに対応する保護パスワード・データーを含む複数組のデーターを維持する動作であって、保護パスワード・データーがそれぞれのアイデンティティと関連し、前記保護パスワード・データーが、少なくとも２つのハッシング・アルゴリズムの組み合わせによって平文パスワードから計算され、前記ターゲット・サービスに同期される、動作と、
前記ターゲット・サービスにおいて、アイデンティティおよびパスワードに対応する資格証明を含むログイン試行を受ける動作と、
前記パスワードに対して少なくとも１つのハッシング・アルゴリズムを実行することに基づいて第１の値を計算する動作と、
前記アイデンティティを認証するために、前記第１の値を、前記アイデンティティに関連する保護パスワード・データーと比較する動作と、
を含む、１つ以上のコンピューター読み取り可能記憶媒体。
【請求項１０】
請求項９記載の１つ以上のコンピューター読み取り可能記憶媒体において、更にコンピューター実行可能命令を有し、該コンピューター実行可能命令が前記１つ以上のプロセッサーによって実行されると、前記１つ以上のプロセッサーに、アイデンティティに関連するデーターを、少なくとも１つの異なるハッシング・アルゴリズムから計算されたデーターと交換することを含む動作を実行させる、１つ以上のコンピューター読み取り可能記憶媒体。
【手続補正書】
【提出日】平成29年3月24日(2017.3.24)
【手続補正１】
【補正対象書類名】明細書
【補正対象項目名】００３２
【補正方法】変更
【補正の内容】
【００３２】
絶対時間を採用する特定の実施形態において、ＳＵ３１５は、絶対時間、例えば、ＵＴＣを用いて、最初にリストされたチャンクの開始時間又は終了時間を提供することができる。また、チャンク情報３２０は、ＣＩファイルが参照している、ＨＴＭＬ５ウェブページに定義された他のＳＵ又はイベントに対する相対時間を利用することができる。即ち、ＳＵ３１５でリストされた最初のチャンク３４０−１の開始時間は、 ＳＵ３１５の開始時間と同じである。ＳＵ内でリストされた最初のチャンク３４０−１を除いたチャンク３４０−２〜３４０−ｎの開始時間は、先行のチャンクの終了時間と同じであり、ここで、その終了時間は、開始時間とデュレーションの合計によって与えられる。各々のチャンクは、これらの属したマルチメディアデータの開始に対して、開始時間に関する何等かの情報を有してもよいが、このような情報は、本開示の一実施形態における同期化に用いられない。
【手続補正２】
【補正対象書類名】明細書
【補正対象項目名】００３４
【補正方法】変更
【補正の内容】
【００３４】
実施形態において、ＨＴＭＬ５ファイル４６０は、二つ以上のマルチメディアコンポーネントを有することができ、ＣＩファイル４１０は、二つ以上のＳＵ４１５−１〜４１５−ｎを有することができる。このような場合、互いに異なるマルチメディア要素を参照している二つ以上のＳＵが時間的に重複されてもよい。
【手続補正３】
【補正対象書類名】明細書
【補正対象項目名】００６１
【補正方法】変更
【補正の内容】
【００６１】
提示時間命令語は、ＭＰＤにより与えられた提示時間ヒントに上書きする（例えば、availabilityStartTime+suggestedPresentationDelay）。
【手続補正４】
【補正対象書類名】図面
【補正対象項目名】図６
【補正方法】変更
【補正の内容】
【図６】
2016522916.tif 000001
【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
モバイルデバイスにおいて、機能をアクティブ化するために入力サウンドからターゲットキーワードを検出する方法であって、前記方法は、
前記モバイルデバイスによって、バッファにおいて第１の複数のサウンド特徴を受け取ることと、
一旦前記バッファにおいて前記第１の複数のサウンド特徴が受け取られたら、前記第１の複数のサウンド特徴の特徴統計量を生成することと、
一旦前記バッファにおいて前記第１の複数のサウンド特徴が受け取られたら、前記モバイルデバイスによって、前記バッファにおいて第２の複数のサウンド特徴を受け取ることと、
前記バッファにおいて受け取られた前記第２の複数のサウンド特徴の各サウンド特徴について、前記特徴統計量を更新することと、
前記バッファにおいて前記第２の複数のサウンド特徴のサウンド特徴を受け取っている間に、前記モバイルデバイスによって、前記バッファから第１の数のサウンド特徴を処理すること、前記第１の数のサウンド特徴は、２つ以上のサウンド特徴を含み、ここにおいて、前記処理することは、前記第１の複数のサウンド特徴の前記特徴統計量または前記更新された特徴統計量に基づく、と、
前記モバイルデバイスによって、前記処理されたサウンド特徴のうちの少なくとも１つのサウンド特徴についてのキーワードスコアを決定することと、
前記キーワードスコアが閾値スコアより大きいとき、前記モバイルデバイスによって、前記ターゲットキーワードとして前記入力サウンドを検出することと、
を備える、方法。
【請求項２】
前記第１の数のサウンド特徴を処理することは、
前記バッファから前記第１の数のサウンド特徴を取り出すことと、
特徴統計量に基づいて前記取り出されたサウンド特徴を処理することと、
を備える、請求項１に記載の方法。
【請求項３】
前記特徴統計量は、平均および分散を含み、前記取り出されたサウンド特徴を処理することは、前記特徴統計量に基づいて前記取り出されたサウンド特徴を正規化することを備える、請求項２に記載の方法。
【請求項４】
前記取り出されたサウンド特徴を処理することは、前記第１の複数のサウンド特徴の前記特徴統計量に基づいて、前記第１の複数のサウンド特徴中のサウンド特徴を処理することを備える、請求項２に記載の方法。
【請求項５】
前記取り出されたサウンド特徴を処理することは、
前記第２の複数のサウンド特徴の第１のサウンド特徴に基づいて前記特徴統計量を更新することと、
前記更新された特徴統計量に基づいて、前記第２の複数のサウンド特徴の前記第１のサウンド特徴を処理することと、
を備える、請求項２に記載の方法。
【請求項６】
前記取り出されたサウンド特徴を処理することは、前記特徴統計量に基づいて、選択された数の前記取り出されたサウンド特徴を処理することを備える、請求項２に記載の方法。
【請求項７】
前記選択された数は、前記モバイルデバイスのリソース情報に基づいて調整される、請求項６に記載の方法。
【請求項８】
前記取り出されたサウンド特徴を処理することは、
前記取り出されたサウンド特徴中のサウンド特徴を、現在のサウンド特徴として識別することと、
前記現在のサウンド特徴と以前のサウンド特徴との間の差を決定することと、
前記差が閾値より小さいとき、前記以前のサウンド特徴に対応する処理されたサウンド特徴を、前記現在のサウンド特徴に対応する処理されたサウンド特徴として使用することと、
を備える、請求項２に記載の方法。
【請求項９】
前記第１の数は、前記モバイルデバイスのリソース情報に基づいて調整される、請求項１に記載の方法。
【請求項１０】
前記処理されたサウンド特徴のうちの前記少なくとも１つのサウンド特徴について前記キーワードスコアを決定することは、マルコフ連鎖モデルを使用して前記キーワードスコアを計算することを備える、請求項１に記載の方法。
【請求項１１】
前記第１の数のサウンド特徴を処理することは、前記バッファ内の特定の数の前記サウンド特徴が前記第１の数より少ないとき、前記バッファ内にある前記特定の数のサウンド特徴を処理することを備える、請求項１に記載の方法。
【請求項１２】
前記バッファにおいて前記第１の複数のサウンド特徴を受け取ることは、
前記入力サウンドの第１の部分を第１の複数のフレームにセグメント化することと、
前記第１の複数のフレームのうちの少なくとも１つのフレームから第１のサウンド特徴を抽出することと、
を備え、
前記バッファにおいて前記第２の複数のサウンド特徴を受け取ることは、
前記入力サウンドの第２の部分を第２の複数のフレームにセグメント化することと、
前記第２の複数のフレームのうちの少なくとも１つのフレームから第２のサウンド特徴を抽出することと、
を備える、請求項１に記載の方法。
【請求項１３】
前記ターゲットキーワードとして検出される前記入力サウンドに応答して、前記ターゲットキーワードに関連付けられた前記機能をアクティブ化することをさらに備える、請求項１に記載の方法。
【請求項１４】
モバイルデバイスであって、
バッファにおいてサウンド特徴を受け取り、および記憶するための手段、ここにおいて、前記サウンド特徴は、第１の複数のサウンド特徴と第２の複数のサウンド特徴とを含み、前記第２の複数のサウンド特徴は、前記第１の複数のサウンド特徴が前記バッファにおいて受け取られた後に、前記バッファにおいて受け取られる、と、
一旦前記バッファにおいて前記第１の複数のサウンド特徴が受け取られたら、前記第１の複数のサウンド特徴の特徴統計量を生成するための手段と、
前記バッファにおいて受け取られた前記第２の複数のサウンド特徴の各サウンド特徴について前記特徴統計量を更新するための手段と、
前記サウンド特徴を記憶するための前記手段が前記第２の複数のサウンド特徴のサウンド特徴を受け取る間に、前記サウンド特徴を記憶するための前記手段から第１の数のサウンド特徴を処理するための手段、前記第１の数の前記サウンド特徴は、２つ以上のサウンド特徴を含み、ここにおいて、前記処理することは、前記第１の複数のサウンド特徴の前記特徴統計量または前記更新された特徴統計量に基づく、と、
前記処理されたサウンド特徴の各々についてのキーワードスコアを決定するための手段と、
前記キーワードスコアのうちの少なくとも１つが閾値スコアより大きいとき、ターゲットキーワードとして入力サウンドを検出するための手段と、
を備える、モバイルデバイス。
【請求項１５】
モバイルデバイスにおける機能をアクティブ化するために、入力サウンドからターゲットキーワードを検出するための命令を記憶する、非一時的なコンピュータ読取可能記憶媒体であって、前記命令は、プロセッサに請求項１〜１３のいずれか一項に記載の方法を行わせる、コンピュータ読取可能記憶媒体。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
中空無孔性粒子状充填材料を含む第１の感圧接着剤層を少なくとも含み、前記中空無孔性粒子状充填材料の表面に疎水性表面改質が施されており、前記中空無孔性粒子状充填材料が、中空ガラスミクロスフェアからなり、前記第１の感圧接着剤層が、ポリマー発泡体層である、感圧接着剤組立体。
【請求項２】
前記中空無孔性粒子状充填材料がアルコキシシランと化学的に反応することにより、前記中空無孔性粒子状充填材料の表面が疎水性を付与されており、
前記アルコキシシランが、以下の式：
（Ｒ１Ｏ）ｍ−Ｓｉ−（Ｒ２）４−ｍ
を有し、
式中、
Ｒ１が独立して、好ましくは１〜６個、より好ましくは１〜４個の炭素原子を含むアルキル基であり、更により好ましくは、Ｒ１が独立して、メチル、エチル、プロピル、及びブチルからなる群から、より好ましくは、メチル及びエチルからなる群から選択され、
ｍ＝１〜３であり、好ましくはｍ＝２又は３であり、より好ましくはｍ＝３であり、
Ｒ２が独立して、疎水性部分であり、飽和、不飽和、置換、又は非置換のアルキル、エーテル、チオエーテル、エステル、アミド、アミン、カルバメート、ウレタン、ポリオレフィン、及びこれらの任意の組み合わせからなる群から好ましくは選択され、好ましくは１〜１００個、より好ましくは１〜５０個、更により好ましくは１〜３０個の炭素原子、またより好ましくは１〜２５個の炭素原子を含み、なおより好ましくは、Ｒ２が独立して、メチル、エチル、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシル、及びこれらのフッ素化誘導体、トリデカフルロロ−１，２，２，２−テトラヒドロオクチルからなる群から選択され、なおより好ましくは、Ｒ２が独立して、メチル、ｎ−オクチル、ヘキサデシル、及びトリデカフルロロ−１，２，２，２−テトラヒドロオクチルからなる群から選択される、請求項１に記載の感圧接着剤組立体。
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
ａ）前駆体ポリマー材料及びｂ）スルホニル含有化合物を含む反応混合物の反応生成物を含む、スルホニル含有ポリマー材料であって、
ａ）前駆体ポリマー材料が、
ｉ）１）式（Ｉ）で表されるモノマー及び２）スチレン、１つ以上のアルキル基で置換されたスチレン、又はその組み合わせである第２のモノマーを含むモノマー混合物と、
ｉｉ）フリーラジカル開始剤と、を含む重合性組成物の重合生成物を含み、
前記式（Ｉ）で表される第１のモノマーは、前記第２のモノマーのモル数に基づき２５モル％までの量で存在しており、
【化１】
2016522282.tif 000001
［式中、
各Ｒ１は、水素、ハロゲン、アルキル、アリール、アルカリール、又はアラルキルであり、少なくとも１つのＲ１は水素であり；
各Ｒ２は、独立して、水素、アルキル、アリール、アルカリール、もしくはアラルキルであるか、同じ炭素原子に結合しているＲ３と一緒に環状アルキルを形成しているか、又は同じ炭素原子に結合しているＲ３と一緒に１つ以上の炭素環と縮合している環状アルキルを形成しており；
各Ｒ３は、独立して、水素、アルキル、アリール、アルカリール、もしくはアラルキルであるか、同じ炭素原子に結合しているＲ２と一緒に環状アルキルを形成しているか、同じ炭素原子に結合しているＲ２と一緒に１つ以上の炭素環と縮合している環状アルキルを形成しているか、又は隣接する炭素原子に結合しているＲ４と一緒に炭素−炭素結合を形成しており；
各Ｒ４は、独立して、水素であるか、又は隣接する炭素原子に結合しているＲ３と一緒に炭素−炭素結合を形成している。］
前記スルホニル含有ポリマー材料は、少なくとも１つの式−ＳＯ２Ｒ５の基のスルホニル含有基を有し、前記スルホニル含有ポリマー材料中の各芳香環について、式−ＳＯ２Ｒ５の基は最大で１つまでであり、
Ｒ５は−ＯＨ、−ＮＨ２、又は−ＮＲ６−Ｑ−Ｎ（Ｒ６）２であり、
各Ｒ６は、独立して、水素又はアルキルであり、
Ｑは、単結合、アルキレン、又は式−（Ｑ１−ＮＲ６）ｘ−Ｑ２−の基であり、
各Ｑ１はアルキレンであり、
Ｑ２はアルキレンであり、
ｘは、１〜４の範囲の整数である、スルホニル含有ポリマー材料。
【請求項２】
ａ）モノマー混合物及びｂ）フリーラジカル開始剤を含む重合性組成物を調製することと、
前記重合性組成物を反応させることにより前駆体ポリマー材料を生成することと、
前記前駆体ポリマー材料をスルホニル含有化合物で処理することによりスルホニル含有ポリマー材料を生成することと、を含む、前記スルホニル含有ポリマー材料を調製する方法であって、
ａ）モノマー混合物が、ｉ）式（Ｉ）で表される第１のモノマー及びｉｉ）スチレン、１つ以上のアルキル基で置換されたスチレン、又はその組み合わせである第２のモノマーを含み、前記式（Ｉ）で表される第１のモノマーは、前記第２のモノマーのモル数に基づき２５モル％までの量で存在しており、
【化２】
2016522282.tif 000002
［式中、
各Ｒ１は、水素、ハロゲン、アルキル、アリール、アルカリール、又はアラルキルであり、少なくとも１つのＲ１は水素であり；
各Ｒ２は、独立して、水素、アルキル、アリール、アルカリール、もしくはアラルキルであるか、同じ炭素原子に結合しているＲ３と一緒に環状アルキルを形成しているか、又は同じ炭素原子に結合しているＲ３と一緒に１つ以上の炭素環と縮合している環状アルキルを形成しており；
各Ｒ３は、独立して、水素、アルキル、アリール、アルカリール、もしくはアラルキルであるか、同じ炭素原子に結合しているＲ２と一緒に環状アルキルを形成しているか、同じ炭素原子に結合しているＲ２と一緒に１つ以上の炭素環と縮合している環状アルキルを形成しているか、又は隣接する炭素原子に結合しているＲ４と一緒に炭素−炭素結合を形成しており；
各Ｒ４は、独立して、水素であるか、又は隣接する炭素原子に結合しているＲ３と一緒に炭素−炭素結合を形成している。］
前記スルホニル含有ポリマー材料は、少なくとも１つの式−ＳＯ２Ｒ５の基のスルホニル含有基を有し、スルホニル含有ポリマー材料中の各芳香環について、式−ＳＯ２Ｒ５の基は最大で１つまでであり、
Ｒ５は−ＯＨ、−ＮＨ２、又は−ＮＲ６−Ｑ−Ｎ（Ｒ６）２であり、
各Ｒ６は、独立して、水素又はアルキルであり、
Ｑは、単結合、アルキレン、又は式−（Ｑ１−ＮＲ６）ｘ−Ｑ２−の基であり、
各Ｑ１はアルキレンであり、
Ｑ２はアルキレンであり、
ｘは、１〜４の範囲の整数である、方法。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
下式のフルオロアルキルシリコーンであって、
【化１】
2016522289.tif 000001
式中、
各Ｒ１は、独立してアルキル又はアリールであり、
Ｒｆは、式−ＣＦ２−ＣｑＦ２ｑ−Ｘ−ＣｒＦ２ｒ−Ｆのパーフルオロアルキル（式中、ｑ及びｒは独立して０〜４）であり、
Ｘは共有結合、−Ｏ−、又は−ＮＲｆ１（ただし、Ｒｆ１は、Ｃ１〜Ｃ３のパーフルオロアルキルである）であり、
Ｒ３は、−Ｈ、−ＯＲ４、又は−（ＣＨ２）３−Ｒ４（ただし、Ｒ４はＣ１〜Ｃ５０アルキルである）であり、
ｎは、０〜２０００であり、
ｍは、０であってよく、
ｐは、０であってよく、ｎ＋ｐは、少なくとも１であり、
Ｒ５は、Ｈ、アルキル、アリール−（Ｃ３Ｈ６）−Ｏ−Ｒｆ、又はＲ３であり、
少なくとも１個の−（Ｃ３Ｈ６）−Ｏ−Ｒｆ基を有する、フルオロアルキルシリコーン。
【請求項２】
Ｒｆが、−ＣＦ３、−ＣＦ２ＣＦ３、−ＣＦ２Ｃ２Ｆ５、−ＣＦ２Ｃ３Ｆ７、−ＣＦ２Ｃ４Ｆ９、−ＣＦ２Ｃ５Ｆ１１、ＣＦ３Ｏ（ＣＦ２）２ＣＦ２−、（ＣＦ３）２Ｎ（ＣＦ２）２ＣＦ２−、−ＣＦ２ＣＦ（ＣＦ３）２及びＣ３Ｆ７ＯＣＦ（ＣＦ３）ＣＦ２−から選択される、請求項１に記載のフルオロアルキルシリコーン。
【請求項３】
ｍに対するｎの比が１よりも大きい、請求項１又は２に記載のフルオロアルキルシリコーン。
【請求項４】
ｍが少なくとも２である、請求項１〜３のいずれか一項に記載のフルオロアルキルシリコーン。
【請求項５】
Ｒ５が、−（Ｃ３Ｈ６）−Ｏ−Ｒｆである、請求項１〜４のいずれか一項に記載のフルオロアルキルシリコーン。
【請求項６】
ｐが少なくとも１であり、Ｒ３がＨである、請求項１〜４のいずれか一項に記載のフルオロアルキルシリコーン。
【請求項７】
ｐが少なくとも１であり、Ｒ３が−Ｏ−Ｒ４（ただしＲ４はＣ１〜Ｃ４アルキルである）である、請求項１〜４のいずれか一項に記載のフルオロアルキルシリコーン。
【請求項８】
ｐが少なくとも１であり、Ｒ３が−（Ｃ２Ｈ４）−Ｒ’（ただしＲ’はＣ１〜Ｃ４８アルキルである）である、請求項１〜４のいずれか一項に記載のフルオロアルキルシリコーン。
【請求項９】
Ｒｆが、１〜８個のパーフルオロ化炭素原子を含有する、請求項１〜８のいずれか一項に記載のフルオロアルキルシリコーン。
【請求項１０】
ｍとｐとの比が１００：０〜１０：９０である、請求項１に記載のフルオロアルキルシリコーン。
【請求項１１】
請求項１のフルオロアルキルシリコーンを作製する方法であって、
ヒドロシリル化触媒の存在下で、下式のパーフルオロアルキルアリルエーテル
Ｒｆ−ＯＣＨ２ＣＨ＝ＣＨ２（式中、Ｒｆは、下式のパーフルオロアルキルであり、
−ＣＦ２−ＣｑＦ２ｑ−Ｘ−ＣｒＦ２ｒ−Ｆ（ただしｑ及びｒは独立して０〜４である））
を下式のヒドロシリコーンでヒドロシリル化することを含み、
【化２】
2016522289.tif 000002
式中、
各Ｒ１は、独立してアルキル又はアリールであり、
ｎは、０〜２０００であり、
ｑは、０であってよく、
Ｒ６は、Ｈ、アルキル又はアリールであり、
ただし、前記ヒドロシリコーンは少なくとも１個のＳｉ−Ｈ基を含有する、方法。
【請求項１２】
前記ヒドロシリル化生成物が、下式のものであり、
【化３】
2016522289.tif 000003
式中、
ｎは、０〜２０００であり、
ｍは、０であってよく、
ｓは、０〜２０００であってよく、
Ｒ７は、Ｈ、アルキル、アリール、又は−（Ｃ３Ｈ６）−ＯＲｆであり、
ｏは１であり、
ただし、前記シリコーンが、少なくとも１個のＳｉ−Ｈ基及び少なくとも１個の−（Ｃ３Ｈ６）−ＯＲｆ基を含有する、請求項１１に記載の方法。
【請求項１３】
式Ｒ４−ＯＨ（式中、Ｒ４はＣ１〜Ｃ４アルキルである）のアルコールによる前記Ｓｉ−Ｈ基のアルコキシル化の更なる工程を含む、請求項１２に記載の方法。
【請求項１４】
【化４】
2016522289.tif 000004
式中、
ｎは、０〜２０００であり、
ｍは、少なくとも１であり；
ｓは、０であってよく、
ｔは、０であってよく、
Ｒ８はＨ、アルキル、又はアリール、又はＯＲ４（ただし、Ｒ４は、Ｈ、又はＣ１〜Ｃ１５アルキルである）であり、
ｔは、０であってよく、
ただし、前記シリコーンは、少なくとも１個、好ましくは少なくとも２個のＳｉ−ＯＲ４基、及び少なくとも１個のＳｉ−Ｈ基を含有する、請求項１３に記載の生成物。
【請求項１５】
ヒドロシリル化触媒の存在下、式ＣＨ２＝ＣＨ−Ｒ４の化合物（式中、Ｒ４はＣ１〜Ｃ５０アルキルである）によるＳｉ−Ｈ基のヒドロシリル化の更なる工程を含む、請求項１２に記載の方法。
【請求項１６】
式
【化５】
2016522289.tif 000005
のシリコーンを提供し、式中、
ｎは、０〜２０００であり、
ｍは、少なくとも１であり；
ｓは、０であってよく、
Ｒ９は、アルキル、アリール、又は−（Ｃ３Ｈ６）−Ｒ４（ただし、Ｒ４はＣ１〜Ｃ５０アルキルである）であり、
ただし、前記シリコーンが、少なくとも１個の−（Ｃ３Ｈ６）−Ｒ４基を含有する、請求項１５に記載の方法。
【請求項１７】
ビニルシリコーンポリマーによって前記シリコーンを架橋する工程を更に含む、請求項１２に記載の方法。
【請求項１８】
裏材と、前記裏材の少なくとも１つの主面上の請求項１のフルオロアルキルシリコーンの硬化したコーティングの層と、を有する、剥離ライナー。
【請求項１９】
前記フルオロアルキルシリコーンのＲ５及びＲ３のうちの少なくとも１つが−ＯＲ４（ただし、Ｒ４はＣ１〜Ｃ４アルキルである）である、請求項１８に記載の剥離ライナー。
【請求項２０】
前記フルオロアルキルシリコーンのＲ５及びＲ３のうちの少なくとも１つがＨであり、前記フルオロアルキルシリコーンのＲ５及びＲ３のうちの少なくとも１つが−ＯＲ４であり、ビニルシリコーンとのヒドロシリル化によって硬化され、Ｓｉ−ＯＲ４からの水分又は光酸により硬化される、請求項１８に記載の剥離ライナー。
【請求項２１】
前記フルオロアルキルシリコーンが、光酸発生剤の存在下、光照射によって硬化される、請求項１９に記載の剥離ライナー。
【請求項２２】
裏材及び前記裏材の少なくとも１つの表面上の請求項１の前記フルオロアルキルシリコーンを含む硬化された剥離コーティングを含む剥離ライナー（Ｉ）と、前記剥離ライナーの表面と接触している感圧接着剤（ＩＩ）と、を有する、接着物品。
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
ａ）前駆体ポリマー材料及びｂ）アミン化合物を含む反応混合物の反応生成物を含む、アミノ含有ポリマー材料であって、
ａ）前駆体ポリマー材料が、
ｉ）１）式（Ｉ）で表されるモノマー及び２）式（ＩＩ）で表される第２のモノマーを含むモノマー混合物と、
ｉｉ）フリーラジカル開始剤と、を含む重合性組成物の重合生成物を含む、前駆体ポリマー材料である、アミノ含有ポリマー材料。
【化１】
2016522281.tif 000001
［式中、
各Ｒ１は、水素、ハロゲン、アルキル、アリール、アルカリール、又はアラルキルであり、少なくとも１つのＲ１は水素であり、
各Ｒ２は、独立して、水素、アルキル、アリール、アルカリール、もしくはアラルキルであるか、同じ炭素原子に結合しているＲ３基と一緒に環状アルキルを形成しているか、又は同じ炭素原子に結合しているＲ３基と一緒に１つ以上の炭素環と縮合している環状アルキルを形成しており；
各Ｒ３は、独立して、水素、アルキル、アリール、アルカリール、もしくはアラルキルであるか、同じ炭素原子に結合しているＲ２と一緒に環状アルキルを形成しているか、同じ炭素原子に結合しているＲ２と一緒に１つ以上の炭素環と縮合している環状アルキルを形成しているか、又は隣接する炭素原子に結合しているＲ４と一緒に炭素−炭素結合を形成しており；
各Ｒ４は、独立して、水素であるか、又は隣接する炭素原子に結合しているＲ３と一緒に炭素−炭素結合を形成する。］
【化２】
2016522281.tif 000002
［式中、Ｒ５はアルキレンであり、Ｘはハロゲンである。］
【請求項２】
ａ）モノマー混合物及びｂ）フリーラジカル開始剤を含む重合性組成物を調製することであって、
ａ）モノマー混合物が、ｉ）式（Ｉ）で表される第１のモノマー及びｉｉ）式（ＩＩ）で表される第２のモノマーを含むことと、
【化３】
2016522281.tif 000003
［式中、
各Ｒ１は、水素、ハロゲン、アルキル、アリール、アルカリール、又はアラルキルであって、少なくとも１つのＲ１は水素であり；
各Ｒ２は、独立して、水素、アルキル、アリール、アルカリール、もしくはアラルキルであるか、同じ炭素原子に結合しているＲ３基と一緒に環状アルキルを形成しているか、又は同じ炭素原子に結合しているＲ３基と一緒に１つ以上の炭素環と縮合している環状アルキルを形成しており；
各Ｒ３は、独立して、水素、アルキル、アリール、アルカリール、又はアラルキルであるか、同じ炭素原子に結合しているＲ２と一緒に環状アルキルを形成しているか、同じ炭素原子に結合しているＲ２と一緒に１つ以上の炭素環と縮合している環状アルキルを形成しているか、又は隣接する炭素原子Ｒ４と一緒に炭素−炭素結合を形成しており；
各Ｒ４は、独立して、水素であるか、又は隣接する炭素原子に結合しているＲ３と一緒に、炭素−炭素結合を形成している。］
【化４】
2016522281.tif 000004
［式中、Ｒ５はアルキレンであり、Ｘはハロゲンである。］；
前記重合性組成物を反応させて前駆体ポリマー材料を生成することと、
前記前駆体ポリマー材料をアミン化合物により処理して、アミノ含有ポリマー材料を生成することと、を含む、アミノ含有ポリマー材料の調製方法。
【手続補正２】
【補正対象書類名】明細書
【補正対象項目名】００１０
【補正方法】変更
【補正の内容】
【００１０】
【化３】
2016522281.tif 000005
を含有する。
【手続補正３】
【補正対象書類名】明細書
【補正対象項目名】００４２
【補正方法】変更
【補正の内容】
【００４２】
【化７】
2016522281.tif 000006
【手続補正４】
【補正対象書類名】明細書
【補正対象項目名】００８１
【補正方法】変更
【補正の内容】
【００８１】
【化９】
2016522281.tif 000007
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
構造式ＩＶ：
【化１】
2016522266.tif 000001
（式中、
Ｒ２は、５〜１５個の環原子を有する任意に置換されるヘテロアリールおよび６〜１２個の環原子を有する任意に置換されるアリールから選択される）
によって表わされる化合物またはその薬学的に許容可能な塩。
【請求項２】
Ｒ２が、５〜１５個の環原子を有する任意に置換されるヘテロアリールである、請求項１に記載の化合物。
【請求項３】
Ｒ２が、窒素、酸素、および硫黄からなる群から独立して選択される１、２または３つのヘテロ原子を有する任意に置換される５〜６員環ヘテロアリールである、請求項２に記載の化合物。
【請求項４】
Ｒ２が、窒素、酸素、および硫黄からなる群から独立して選択される１、２または３つのヘテロ原子を有する任意に置換される５員環ヘテロアリールである、請求項３に記載の化合物。
【請求項５】
Ｒ２が、任意に置換されるピロリル、フラニル、チオフェニル、ピラゾリル、イミダゾリル、チアゾリル、イソチアゾリル、オキサゾリル、イソオキサゾリル、トリアゾリル、チアジアゾリル、またはオキサジアゾリルである、請求項４に記載の化合物。
【請求項６】
Ｒ２が、窒素、酸素、および硫黄からなる群から独立して選択される１、２または３つのヘテロ原子を有する任意に置換される６員環ヘテロアリールである、請求項３に記載の化合物。
【請求項７】
Ｒ２が、任意に置換されるピリジニル、ピリミジニル、ピラジニル、ピリダジニルまたはトリアジニルである、請求項６に記載の化合物。
【請求項８】
Ｒ２が、ハロゲン、Ｃ１〜Ｃ４アルキル、ハロ−Ｃ１〜Ｃ４アルキル、Ｃ１〜Ｃ４アルコキシ、Ｃ１〜Ｃ４チオアルコキシ、ヒドロキシル、アミノ、Ｃ１〜Ｃ４アルキルアミノ、Ｃ１〜Ｃ４ジアルキルアミノ、スルフヒドリル、シアノ、Ｃ６アリール、および５または６個の環原子を有するヘテロアリールから独立して選択される１、２または３つの置換基で任意に置換される、請求項１〜７いずれか一項に記載の化合物。
【請求項９】
Ｒ２が、フルオロ、クロロ、Ｃ１〜Ｃ４アルキル、−ＣＦ３、アミノ、およびシアノから独立して選択される１、２または３つの置換基で任意に置換される、請求項８に記載の化合物。
【請求項１０】
以下の構造式：
【化２】
2016522266.tif 000002
【化３】
2016522266.tif 000003
【化４】
2016522266.tif 000004
のいずれか１つによって表される、請求項１に記載の化合物または前記化合物のいずれかの薬学的に許容可能な塩。
【請求項１１】
【化５】
2016522266.tif 000005
【化６】
2016522266.tif 000006
【化７】
2016522266.tif 000007
から選択され、環外二重結合がトランス配置にある、請求項１０に記載の化合物または前記化合物のいずれかの薬学的に許容可能な塩。
【請求項１２】
【化８】
2016522266.tif 000008
から選択され、環外二重結合がシス配置にある、請求項１０に記載の化合物または前記化合物のいずれかの薬学的に許容可能な塩。
【請求項１３】
請求項１〜１２いずれか一項に記載の化合物またはその薬学的に許容可能な塩と、薬学的に許容可能な担体とを含んでなる、薬学的に許容可能な組成物。
【請求項１４】
請求項１〜１２いずれか一項に記載の化合物またはその薬学的に許容可能な塩を含んでなる、ＣＲＭ１活性関連障害を治療するための医薬組成物。
【請求項１５】
前記障害が、増殖性疾患、がん、炎症性疾患、自己免疫障害、ウイルス感染症、眼科疾患、神経変性疾患、異常組織成長障害、食物摂取量関連障害、アレルギー、および呼吸器疾患から選択される、請求項１４に記載の医薬組成物。
【請求項１６】
前記障害が、がんである、請求項１５に記載の医薬組成物。
【請求項１７】
請求項１〜１２いずれか一項に記載の化合物またはその薬学的に許容可能な塩を含んでなる、創傷治癒を促進するための医薬組成物。
【請求項１８】
以下の構造式
【化９】
2016522266.tif 000009
によって表わされる、請求項１に記載の化合物またはその薬学的に許容可能な塩。
【請求項１９】
前記障害が、多発性骨髄腫である、請求項１４に記載の医薬組成物。
【請求項２０】
請求項１に記載の化合物またはその薬学的に許容可能な塩を含んでなる、白血病を治療するための医薬組成物であって、白血病が、有毛細胞白血病、急性リンパ芽球性白血病、慢性骨髄性白血病、急性骨髄性白血病、および慢性リンパ球性白血病から選択される、医薬組成物。
【請求項２１】
請求項１に記載の化合物またはその薬学的に許容可能な塩を含んでなる、リンパ腫を治療するための医薬組成物であって、リンパ腫が、皮膚Ｔ細胞リンパ腫、びまん性大Ｂ細胞リンパ腫、マントル細胞リンパ腫、および濾胞性リンパ腫から選択される、医薬組成物。
【請求項２２】
請求項１に記載の化合物またはその薬学的に許容可能な塩を含んでなる、固形がんを治療するための医薬組成物であって、固形がんが、前立腺がん、乳がん、肝臓がん、結腸がん、膵臓がん、腎臓がん、および卵巣がんから選択される、医薬組成物。
【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
有効量の治療薬または診断薬を患者の標的化器官または組織の第１の位置に選択的に送達する方法に使用するための、第１の結合剤と結合した生体適合性固体支持体と、第２の結合剤と結合した前記治療薬または診断薬とを含むキットであって、前記方法が、
（ａ）前記第１の結合剤と結合した前記生体適合性固体支持体を前記患者の前記標的化器官または組織の前記第１の位置に移植するステップと、ここで、前記標的化器官または組織の前記第１の位置は、前記患者の前記標的化器官または組織の他の位置に対して化学標的化剤によっても生物標的化剤によっても選択的に標的化することができないものとし；
（ｂ）前記第１の結合剤と前記第２の結合剤とが接触すると互いに結合し、それによって有効量の前記治療薬または診断薬を前記患者の前記標的化器官または組織の前記第１の位置に選択的に送達するように、前記患者に前記第２の結合剤と結合した前記治療薬または診断薬を投与するステップと
を含む、前記キット。
【請求項２】
前記固体支持体が、ヒドロゲルを含む、請求項１に記載のキット。
【請求項３】
前記固体支持体が、アルギン酸塩を含む、請求項１に記載のキット。
【請求項４】
前記第１の結合剤と第２の結合剤が、それぞれ独立して、シクロオクテン、テトラジン、アジドおよびアルキンからなる群から選択される、請求項１に記載のキット。
【請求項５】
前記第１の結合剤と第２の結合剤の一方が、トランス−シクロオクテンであり、他方が１，２，４，５−テトラジンであるように、前記第１の結合剤と第２の結合剤が、それぞれ独立して、トランス−シクロオクテンおよび１，２，４，５−テトラジンからなる群から選択される、請求項１に記載のキット。
【請求項６】
前記標的化器官または組織が、骨である、請求項１に記載のキット。
【請求項７】
前記標的化器官または組織の前記第１の位置での前記治療薬または診断薬の濃度が、前記患者の他の場所の濃度よりも高い、請求項１に記載のキット。
【請求項８】
前記治療薬がバンコマイシンである、請求項１に記載のキット。
【請求項９】
患者の疾患または状態を治療するための、第１の結合剤に結合した治療薬であって、前記第１の結合剤が前記疾患または状態の部位で第２の結合剤と接触すると、前記第１の結合剤と第２の結合剤が互いに結合し、前記疾患または状態の部位で治療上有効量の治療薬を形成し、前記患者に投与する前記治療薬の量は前記第２の結合剤の非存在下で前記患者に投与する治療上有効量未満である、前記治療薬。
【請求項１０】
前記疾患または状態が、骨髄炎である、請求項９に記載の治療薬。
【請求項１１】
前記治療薬が、バンコマイシンである、請求項９に記載の治療薬。
【請求項１２】
生体適合性固体支持体と；
前記生体適合性固体支持体と結合した少なくとも１種のシクロオクテンと
を含む組成物。
【請求項１３】
各々のシクロオクテンと前記生体適合性固体支持体を共有結合するリンカーをさらに含
む、請求項１２に記載の組成物。
【請求項１４】
前記固体支持体がヒドロゲルを含む、請求項１２に記載の組成物。
【請求項１５】
前記固体支持体がアルギン酸塩を含む、請求項１２に記載の組成物。
【請求項１６】
式：
【化１】
2016522261.tif 000001
の構造を有する、請求項１２に記載の組成物。
【請求項１７】
治療薬または診断薬と；
１，２，４，５−テトラジンと；
前記治療薬または診断薬と前記１，２，４，５−テトラジンを共有結合するリンカーと
を含む組成物。
【請求項１８】
【化２】
2016522261.tif 000002
からなる群から選択される式の構造を有する、請求項１７に記載の組成物。
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
構成部品の少なくとも一部分上に最大３ｍｍの壁厚を有する構成部品であって、前記構成部品が、ポリマー／窒化ホウ素化合物の熱可塑加工によって生成され、前記ポリマー／窒化ホウ素化合物が、熱可塑的に加工可能なポリマー材料及び熱伝導充填剤を含み、前記充填剤が、窒化ホウ素凝集体を含む、構成部品。
【請求項２】
請求項１に記載の構成部品を生成するためのポリマー／窒化ホウ素化合物であって、熱可塑的に加工可能なポリマー材料及び熱伝導性充填剤を含み、前記充填剤が、窒化ホウ素凝集体を含む、ポリマー／窒化ホウ素化合物。
【請求項３】
冷却される構成部品又はアセンブリから、好ましくは電子構成部品又はアセンブリから放熱するための、請求項１に記載の構成部品の使用。
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
式（ＩＡ）の化合物：
【化１】
2016522235.tif 000001
またはその製薬上許容し得る塩を含む、ハンチントン病、ウィルソン病、トゥーレット症候群、下肢静止不能症候群または遅発性ジスキネジアに伴う運動過剰障害の予防および／または治療剤。
【請求項２】
ハンチントン病、ウィルソン病、トゥーレット症候群、下肢静止不能症候群または遅発性ジスキネジアに伴う運動過剰障害の治療剤である、請求項１に記載の剤。
【請求項３】
式（ＩＡ）の化合物：
【化２】
2016522235.tif 000002
またはその製薬上許容し得る塩を含む、ハンチントン病、ウィルソン病、トゥーレット症候群または下肢静止不能症候群に伴う運動過剰障害の予防および／または治療剤。
【請求項４】
唯一の有効成分として式（ＩＡ）の化合物を含む、請求項１〜３のいずれか１項に記載の剤。
【請求項５】
式（ＩＢ）の化合物、式（ＩＣ）の化合物、神経遮断薬、抗グルタミン酸薬、ドーパミン枯渇剤、アセチルコリンエステラーゼ阻害剤およびその混合物からなる群より選ばれる付加的治療剤との併用治療に使用するための、請求項１〜４のいずれか１項に記載の剤であって、
式（ＩＢ）の化合物が、
【化３】
2016522235.tif 000003
および式（ＩＣ）の化合物が
【化４】
2016522235.tif 000004
である剤。
【請求項６】
併用治療が式（ＩＡ）の化合物および付加的治療剤を対象者に同時に、連続して、または別々に、投与することを含む、請求項５に記載の剤。
【請求項７】
付加的治療剤が、式（ＩＢ）の化合物、式（ＩＣ）の化合物、アマンタジン、リルゾール、テトラベナジン、レセルピンおよびドネペジルからなる群より選ばれる、請求項５または６に記載の剤。
【請求項８】
ハンチントン病、ウィルソン病、トゥーレット症候群、下肢静止不能症候群または遅発性ジスキネジアに伴う運動過剰障害の予防および／または治療における使用のための、請求項５〜７のいずれか１項に定義の式（ＩＡ）の化合物および付加的治療剤の併用剤。
【請求項９】
ハンチントン病、ウィルソン病、トゥーレット症候群または下肢静止不能症候群に伴う運動過剰障害の予防および／または治療における使用のための請求項８に記載の剤。
【請求項１０】
運動過剰障害が、腹部ジスキネジア、静座不能動作（ａｋａｔｈｉｓｉｃ  ｍｏｖｅｍｅｎｔ）、共同運動失調症、運動失調、アテトーシス、バリスムス、舞踏病、測定障害、ジストニア、片側顔面痙攣、過剰驚愕症、睡眠ジスキネジア（ｈｙｐｎｏｇｅｎｉｃ  ｄｙｓｋｉｎｅｓｉａｓ）、ジャンピースタンプ（ｊｕｍｐｙ  ｓｔｕｍｐ）、動く爪先および／または指（ｍｏｖｉｎｇ  ｔｏｅｓ  ａｎｄ／ｏｒ  ｆｉｎｇｅｒｓ）、ミオクローヌス、ミオキミア、ミオリトミー、発作性ジスキネジア、チックおよび振戦からなる群より選ばれる、請求項１〜９のいずれか１項に記載の剤。
【請求項１１】
運動過剰障害が、ハンチントン病、トゥーレット症候群または遅発性ジスキネジアに伴う舞踏病である請求項１〜１０のいずれか１項に記載の剤。
【請求項１２】
運動過剰障害が、ハンチントン病に伴う舞踏病である請求項１〜１１のいずれか１項に記載の剤。
【請求項１３】
運動過剰障害が、トゥーレット症候群または遅発性ジスキネジアに伴うチックである請求項１〜１０のいずれか１項に記載の剤。
【請求項１４】
運動過剰障害が、バリスムスである請求項１〜１０のいずれか１項に記載の剤。
【請求項１５】
運動過剰障害が、ジストニアである請求項１〜１０のいずれか１項に記載の剤。
【請求項１６】
製薬上許容し得る賦形剤または担体および、式（ＩＡ）の化合物：
【化２】
2016522235.tif 000005
またはその製薬上許容し得る塩の有効量を含む、ハンチントン病、ウィルソン病、トゥーレット症候群、下肢静止不能症候群または遅発性ジスキネジアに伴う運動過剰障害の予防用および／または治療用医薬組成物。
【請求項１７】
経口単位剤形、口腔内単位剤形、吸入剤形または局所単位剤形である請求項１６に記載の医薬組成物。
【請求項１８】
運動過剰障害が、ハンチントン病、トゥーレット症候群または遅発性ジスキネジアに伴う舞踏病である請求項８または９に記載の剤。
【請求項１９】
運動過剰障害が、ハンチントン病に伴う舞踏病である請求項８または９に記載の剤。
【請求項２０】
製薬上許容し得る賦形剤または担体、および請求項８または９に記載の剤を含む医薬組成物。
【請求項２１】
経口単位剤形、口腔内単位剤形、吸入剤形または局所単位剤形である請求項２０に記載の医薬組成物。
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
1型糖尿病の治療における使用のためのGLP-1受容体作動薬であって、前記使用が、
i)低血糖又は低血糖エピソードの回数;
ii)血中グルコース変動の重症度;
iii)低血糖又は低血糖エピソードからの回復に必要な外因性グルコースの量;及び/又は
iv)低血糖又は低血糖エピソードの持続時間
を低減させることを含む、GLP-1受容体作動薬。
【請求項２】
前記使用が、低血糖又は低血糖エピソードの回数を低減させることを含む、請求項1に記載のGLP-1受容体作動薬。
【請求項３】
前記使用が、血中グルコース変動の重症度を低減させることを含む、請求項1又は2に記載のGLP-1受容体作動薬。
【請求項４】
前記使用が、低血糖又は低血糖エピソードからの回復に必要な外因性グルコースの量を低減させることを含む、請求項1から3のいずれか一項に記載のGLP-1受容体作動薬。
【請求項５】
前記使用が、低血糖又は低血糖エピソードの持続時間を低減させることを含む、請求項1から4のいずれか一項に記載のGLP-1受容体作動薬。
【請求項６】
1種又は複数種の追加の抗糖尿病薬と組み合わせて使用するための、請求項1から5のいずれか一項に記載のGLP-1受容体作動薬。
【請求項７】
所定期間にわたって対象が受ける低血糖の前記回数が、前記GLP-1受容体作動薬を投与する前に前記対象が同じ期間にわたって受けるエピソードの回数と比較して低減する、請求項1から6のいずれか一項に記載のGLP-1受容体作動薬。
【請求項８】
請求項1から7のいずれか一項で規定された低減が、GLP-1受容体作動薬で治療する前の、GLP-1受容体作動薬が投与される対象と比較した場合の低減である、請求項1から7のいずれか一項に記載のGLP-1受容体作動薬。
【請求項９】
請求項1から8のいずれか一項で規定された低減が、少なくとも5%である、請求項1から8のいずれか一項に記載のGLP-1受容体作動薬。
【請求項１０】
GLP-1受容体作動薬がGLP-1断片、誘導体又は類似体である、請求項1から9のいずれか一項に記載のGLP-1受容体作動薬。
【請求項１１】
GLP-1(7-37)と比較して、5つ以下の置換、挿入若しくは欠失されたアミノ酸残基を含む、請求項1から10のいずれか一項に記載のGLP-1受容体作動薬。
【請求項１２】
GLP-1(7-37);GLP-1(7-36)アミド;エクセナチド;エクセナチドLAR;リラグルチド;セマグルチド;タスポグルチド;アルビグルチド;リキシセナチド;及びデュラグルチドからなる群から選択される、請求項1から11のいずれか一項に記載のGLP-1受容体作動薬。
【請求項１３】
リラグルチドである、請求項1から12のいずれか一項に記載のGLP-1受容体作動薬。
【請求項１４】
薬学的に許容される担体、ビヒクル、希釈剤及び/又は賦形剤と一緒に製剤化される、請求項1から13のいずれか一項に記載のGLP-1受容体作動薬。
【請求項１５】
i)インスリンで治療されている対象が受ける低血糖又は低血糖エピソードの回数;
ii)インスリンで治療されている対象が受ける血中グルコース変動の重症度;
iii)インスリンで治療されている対象における低血糖からの回復に必要な外因性グルコースの量;及び/又は
iv)インスリンで治療されている対象における低血糖又は低血糖エピソードの持続時間
を低減させるための医薬組成物であって、i)、ii)、iii)及び/又はiv)をそれぞれ低減させるために有効な量のGLP-1受容体作動薬を含む、医薬組成物。